(57)【特許請求の範囲】
【請求項１】
部屋のコーナー部において、二面の壁面が交わるコーナー壁面中心部の柱または二面の壁面が交わるコーナー壁面中心部に設置したアダプターにフックを設け、さらに、二面の壁面が交わるコーナー中心部に正対するラックの最近面の中央にフックを設け、これらの２つのフックにターンバックルを接続し、このターンバックルを回転収縮させることにより、二面のコーナー壁面にそれぞれ圧着固定できるように形成された緩衝材を取り付けた圧着固定部を二カ所設けたコーナーラック。    
【請求項２】
部屋のコーナー部において、伸縮パイプの一方を二面の壁面が交わるコーナー壁面中心部に設置したアダプターに接続し、もう一方を二面の壁面が交わるコーナー中心部に正対するラックの最近面の中央に接続し、この伸縮パイプを収縮させることにより、二面のコーナー壁面にそれぞれ圧着固定できるように形成された緩衝材を取り付けた圧着固定部を二カ所設けたコーナーラック。    
【請求項３】
前記請求項１に記載のコーナーラックにおいて、部屋のコーナー中心部の天井から床にフックを取り付けた伸縮パイプを設置し、ターンバックルの一方を、この伸縮パイプのフックに接続し、もう一方を二面の壁面が交わるコーナー中心部に正対するラックの面の中央に設けたフックに接続し、このターンバックルを回転収縮させることにより、二面のコーナー壁面にそれぞれ圧着固定できるように形成された緩衝材を取り付けた圧着固定部を二カ所設けた請求項１に記載のコーナーラック。
【発明の詳細な説明】
【技術分野】
【００１】  本発明は、コーナーラック関する。
【背景技術】
【００２】  従来のコーナーラックは、特許文献１および特許文献２のような、ラック本体を針やネジおよび釘などにより直接コーナー壁面に固定するものやラック本体を鴨居に置くものがある。【００３】  また、特許文献３や特許文献４のような、金属や木材やパイプおよびバネなどの部材を用いてラックを固定したり、ブラケットなどの棚受けを用いたものがある。
【先行技術文献】
【特許文献１】  特開２００４−２２９８７７
【特許文献２】  特開２００８−４８７７８
【特許文献３】  特開２０１３−１１１３０６
【特許文献４】  特開２０１１−１４７６３５
【発明の概要】
【発明が解決しようとする課題】
【００４】  コーナーラックにおいてその目的は、部屋のコーナー部を有効利用し、ものを置いたりハンガー等を吊したりすることである。【００５】  従来のコーナーラックは、ラック本体を直接コーナー壁面に固定するものや、ブラケットなどの棚受けを用いたものがあるが、いずれの場合も複数の針やネジおよび釘を使用し固定するために壁面を傷つけてしまう。また、ラック本体を鴨居に置くものもあるが、和室のように鴨居がある部屋は限定されてしまう。【００６】  また、木材やパイプやバネを用いてラックを固定するものがあるが、部品が多くなり構造が複雑になってしまう。
【課題を解決するための手段】
【００７】  本発明はこのような従来の構成が有していた問題を解決しようとするものであり、ラック本体をターンバックルや伸縮パイプを使用し部屋のコーナー壁面に簡単に設置でき、さらに、壁面のコーナー中心部にフックやネジや釘など一カ所固定するだけで設置できるものや、伸縮ポールを用いて壁面に直接固定せずに設置できるものがあり、壁面への傷は最小限に抑えられ、かつ、構造は極めて簡単である。【００８】  本発明は、上記目的を達成するために、二面のコーナー壁面に密着できるように形成された圧着固定部を二カ所設けたラック部と、このラック部のコーナー中心部に正対する最近面の中央にフックを設ける。【００９】  さらに、壁面コーナー中心部の柱にターンバックルを接続できるようにフックを設ける。なお伸縮パイプを用いる場合や、コーナー部に柱が露出している場合などは、コーナー壁面中心部に密着するアダプターを設置しフックを設ける。【０１０】  また、壁面に直接フックを設けず、天井から床まで伸ばした伸縮ポールにフックを設ける方法もある。【０１１】  そして、ラック部と二面の壁面が交わるコーナー壁面中心部の柱またはコーナー壁面中心部に設置したアダプターに設けたフックにターンバックルを接続し、ターンバックルを回転収縮させ、ラックに設置した壁面に密着できるように形成された二カ所の圧着固定部が二面の壁面に圧着固定される。ターンバックルの代わりに伸縮パイプを接続しても良い。
【発明の効果】
【０１２】  上述したように、ラック本体をターンバックルや伸縮パイプを使用し、簡単に部屋のコーナー壁面に設置できる。【０１３】  また、壁面コーナー中心部にフックやネジや釘など一カ所固定するだけで設置できるものや、伸縮ポールを用いて壁面に直接固定せずに設置できるものがあり、壁面への傷は最小限に抑えられる。【０１４】  そして、構造は極めて簡単であり、ものを置いたりハンガー等を吊したりすることができ、部屋のコーナー部を有効利用することができる。【０１５】  以上のように、本発明のコーナーラックは、ターンバックルや伸縮パイプを使用し、簡単に部屋のコーナー壁面に圧着固定でき、さらに、壁面への傷は最小限に抑えられ、かつ、構造は極めて簡単であり、部屋のコーナーを有効利用できる効果を発揮するものである。
【図面の簡単な説明】
【０１６】
【図１】  本発明のコーナーラックを示す斜視図
【図２】  一般的な建造物の壁面のコーナー部と柱を示す図
【図３】  （ａ）フックを柱に取り付ける方法を示す図  （ｂ）フックを柱に取り付ける方法を示す図
【図４】  （ａ）アダプターを使用しフックを柱に取り付ける方法を示す図  （ｂ）アダプターを使用しフックを柱に取り付ける方法を示す図
【図５】  本発明のコーナーラックを圧着固定する方法を示す図
【図６】  本発明のコーナーラックを圧着固定した図
【図７】  コーナーラックを伸縮パイプを使用して圧着固定する方法を示す図
【図８】  コーナーに伸縮パイプを設置する方法を示す図
【図９】  コーナーに伸縮パイプを設置し、コーナーラックを圧着固定した図
【発明を実施するための形態】
【０１７】  以下、本発明の実施の形態を図１〜図９に基づいて説明する。
【０１８】  図１において、ターンバックル２の一方は、コーナー壁面７ａ、７ｂが交わるコーナー中心部１３にネジ４により固定されたアダプター５に取り付けたフック３ｂに接続されている。また、ターンバックル２のもう一方は、コーナーラック本体１のコーナー中心部１３に正対する最近面の中央に設けたフック３ａに接続されている。
【０１９】  ターンバックル２を回転収縮させることにより二カ所の圧着固定部１４ａ、１４ｂを設けたコーナーラック本体１はコーナー壁面７ａ、７ｂに圧着固定される。なお、コーナーラック本体１に設けた圧着固定部１４ａ、１４ｂおよびアダプター５がコーナー壁面７ａ、７ｂに接する部分に緩衝材６を取り付けるとコーナー壁面７ａ、７ｂに傷が付くことを防ぐことができる。
【０２０】  次に図２〜図１１において取り付け方法を説明する。
【０２１】  まず図２のように、コーナー壁面７ａ、７ｂが交わるコーナー中心部１３はほとんどの場合天井１１から床１２まで強固な柱８がある。コーナー中心部１３のコーナーラック本体１を取り付けたい位置の柱８に図３（ａ）のようにフック３ｂを設置する。図３（ｂ）のように構造上柱８がコーナー壁面７より露出しているものもあり、その場合直接柱８にフック３ｂを設置しても良いが、図４（ａ）、図４（ｂ）のように緩衝材６を備えたアダプター５をネジ４で柱８に固定してからフック３ｂを設置することもある。
【０２２】  次に、図５のように、コーナーラック本体１は、コーナー壁面７ａ、７ｂに密着できるように形成された緩衝材６を取り付けた二カ所の圧着固定部１４ａ、１４ｂを設けている。このコーナーラック本体１のコーナー中心部１３に正対する最近面の中央にフック３ａを設ける。
【０２３】  そして、このコーナーラック本体１に設置したフック３ａと、前記コーナー壁面７ａ、７ｂが交わるコーナー中心部１３の柱８に設置したフック３ｂにターンバックル２を接続し、ターンバックル２を回転収縮させると、コーナーラック本体１は矢印のように動き、緩衝材６を取り付けた二カ所の圧着固定部１４ａ、１４ｂは図６のようにコーナー壁面７ａ、７ｂに圧着固定され、コーナーラック本体１をコーナー壁面に取り付けることができる。
【０２４】  さらに、ターンラック２の代わりに伸縮パイプ９を用いても良い。図７のように、コーナーラック本体１とアダプター５に伸縮パイプ９の両端をネジ４などで固定し、伸縮パイプ９を回転収縮させ、コーナーラック本体１に設置した緩衝材６を備えた圧着固定部１４ａ、１４ｂをコーナー壁面７ａ、７ｂに圧着固定することができる。
【０２５】  なお、前記コーナー中心部１３に柱８がない場合や、フック３ｂやネジ４などが取り付けできない場合は、図８および図９のように、コーナー中心部１３の天井１１から床１２にフック３ｂを取り付けた伸縮パイプ（大）１０を設置し、上記のようにターンラック２を使用して圧着固定する方法もある。
【０２６】  また、コーナーラック本体１の形状および材質は、緩衝材６を備えた圧着固定部１４ａ、１４ｂがコーナーラック本体１に設けられ、前記コーナー壁面７ａ、７ｂにそれぞれ圧着固定できるように形成されていれば特別限定されることはない。
【符号の説明】
【０２７】１    コーナーラック本体      ２    ターンラック      ３ａ、３ｂ    フック
４    ネジ                    ５    アダプター        ６    緩衝材
７ａ、７ｂ    壁面            ８    柱                ９    伸縮パイプ
１０  伸縮パイプ（大）        １１  天井              １２  床
１３  コーナー中心部          １４ａ、１４ｂ  圧着固定部
【図１】
0006347524.tif 000002
【図２】
0006347524.tif 000003
【図３】
0006347524.tif 000004
【図４】
0006347524.tif 000005
【図５】
0006347524.tif 000006
【図６】
0006347524.tif 000007
【図７】
0006347524.tif 000008
【図８】
0006347524.tif 000009
【図９】
0006347524.tif 000010